(57)【要約】【課題】  携帯電話機において、表示部とスピーカとを一体化する際に、ＬＣＤパネルの固定強度と表示部の気密性とを確保することができるようにすることを目的とする。【解決手段】  携帯端末の表示面側に、外装用のカバーとして取り付けられる前面外装カバー１０４において、前面外装カバー１０４の開口が梁形状の部材１０４ｄで区切られ、区切られた各開口１０４ａ及び１０４ｂの端には落ち込んだ部分である落ち込み部分１０４ｃが設けられることを特徴とする。【選択図】  図５
2005354377.tif 000002
【特許請求の範囲】
【請求項１】
携帯端末の表示面側に、外装用のカバーとして取り付けられる前面外装カバーにおいて、
当該前面外装カバーの開口が梁形状の部材で区切られ、
当該区切られた各開口の端には落ち込んだ部分である落ち込み部分が設けられることを特徴とする携帯端末の前面外装カバー。
【請求項２】
前記落ち込み部分は、前記前面外装カバーの両面に設けられることを特徴とする請求項１記載の前面外装カバー。
【請求項３】
請求項２記載の前面外装カバーを備えることを特徴とする携帯端末。
【請求項４】
前記携帯端末の表示パネルがＬＣＤパネルであって、前記前面外装カバーの前記携帯端末における内部側の前記落ち込み部分に、前記ＬＣＤパネルの破損を防ぐために設けられるＬＣＤガスケットと、前記前面外装カバーのフレームに対応して作成されたフレームガスケットと、を貼り付けられることを特徴とする請求項３記載の携帯端末。
【請求項５】
前記携帯端末は、携帯電話機であることを特徴とする請求項３から４のいずれか１項記載の携帯端末。
【発明の詳細な説明】
【技術分野】
【０００１】
本発明は、携帯端末の前面外装カバー、携帯端末及び携帯電話機に関し、特に、表示部とスピーカとを一体化する際に不都合の生じないような携帯端末の前面外装カバー、携帯端末及び携帯電話機に関する。
【背景技術】
【０００２】
本明細書で記載する表示部一体型スピーカの例をあげると、特許文献１、２及び３に開示される技術で、液晶表示画面を利用したスピーカ機能を実現したものであり、音源と映像を空間的に一致させて、高い臨場感を実現している。
【０００３】
昨今、携帯端末の多機能化は目覚しい進歩をとげ、単なる情報端末の枠を超え、ＴＶやＴＶ電話機、あるいは音声付き動画再生といった、映像と音を同時に楽しむ機能も追加されている。
【０００４】
今や「音」は単に再生／認識ができればよいメディアではなく、明らかに「質」が求められる時代であり、前記した表示部一体型スピーカは、家庭向けパーソナルコンピュータのみならず、携帯端末機器においても広く受容されていく技術である。
【０００５】
図１は、携帯電話機の概観を示す斜視図である。図１に示すように、携帯電話機１００は、折りたたみ式の携帯電話機で、折りたたむ側の一方にモニタ部１０１を備えている。
【０００６】
図４は、従来の携帯電話機のモニタ部１０１を示す図である。図４（ａ）は、分解斜視図を示し、図４（ｂ）は図１の切断線で切断した際の断面図を示す。
【０００７】
図４に示すように、従来の携帯電話機１００のモニタ部１０１は、透明パネル板１０３と、前面外装カバー１０４と、ＬＣＤガスケット１０６と、フレームガスケット１０７と、ＬＣＤユニット１０２と、内部フレーム１０５と、制御基板１０８と、背面外装カバー１０９とを備えている。
【０００８】
図４に示すように、ＬＣＤユニット１０２の前面には、これを保護するための透明パネル板１０３が存在する。
【０００９】
透明パネル板１０３は両面テープなどを用いて前面外装カバー１０４に固定される。
【００１０】
ＬＣＤユニット１０２は内部フレーム１０５に両面テープなどで固定された後、前面外装カバー１０４と透明パネル板１０３とに挟み込まれて固定される。
【００１１】
透明パネル板１０３の内面と前面外装カバー１０４の内面とには、それぞれＬＣＤガスケット１０６とフレームガスケット１０７が貼り付けられており、ＬＣＤユニット１０２の表示範囲の気密性（防塵機能）が確保されている。
【００１２】
制御基板１０８、背面外装カバー１０９及び固定ネジ１１０は、装置構成部品であり、本発明とは直接的な関係はない。
【００１３】
携帯電話機の一般的な構造において、表示部とスピーカとを一体化した携帯電話機の一例を説明する。
【００１４】
図５は、従来の携帯電話機の一般的な構造において、表示部とスピーカとを一体化した携帯電話機のモニタ部１０１を示す図である。
【００１５】
図５（ａ）はモニタ部１０１の分解斜視図を示し、図５（ｂ）は図１の切断で切断した際の断面図を示す。
【００１６】
図５に示すように、透明パネル板１０３を振動板として活用するため、透明パネル板１０３の内面に圧電素子などで構成されたアクチュエータ１１１を貼り付けるとともに、透明パネル板１０３は固定クッション１１２により前面外装カバー１０４に固定される。
【特許文献１】特表２００２−５１０１８２号公報
【特許文献２】特表２００２−５１１６８１号公報
【特許文献３】特表２００２−５３３９５７号公報
【発明の開示】
【発明が解決しようとする課題】
【００１７】
しかしながら、図５に示すように、携帯電話機において表示部とスピーカとを一体化する際に、スピーカの機能を確保する上で透明パネル板１０３の振動を妨げる構造は避けなければならないため、透明パネル板１０３とＬＣＤユニット１０２とは非接触の状態にある。そのため、ＬＣＤパネル１０２の固定強度と表示部の気密性（防塵機能）とを十分に確保することはできず、携帯電話機として商品性・信頼性にかけることがないこともなかった。
【００１８】
そこで、本発明は、携帯電話機において、表示部とスピーカとを一体化する際に、ＬＣＤパネルの固定強度と表示部の気密性とを確保することができるようにすることを目的とする。
【課題を解決するための手段】
【００１９】
本発明は、上記課題を解決するための手段として、携帯端末の表示面側に、外装用のカバーとして取り付けられる前面外装カバーにおいて、当該前面外装カバーの開口が梁形状の部材で区切られ、当該区切られた各開口の端には落ち込んだ部分である落ち込み部分が設けられることを特徴とする。
【００２０】
また、本発明は、前記落ち込み部分は、前記前面外装カバーの両面に設けられることを特徴とする。
【００２１】
また、本発明は、請求項２記載の前面外装カバーを備えることを特徴とする。
【００２２】
また、本発明は、前記携帯端末の表示パネルがＬＣＤパネルであって、前記前面外装カバーの前記携帯端末における内部側の前記落ち込み部分に、前記ＬＣＤパネルの破損を防ぐために設けられるＬＣＤガスケットと、前記前面外装カバーのフレームに対応して作成されたフレームガスケットと、を貼り付けられることを特徴とする。
【００２３】
また、本発明は、表示パネルを備える表示部とスピーカとが一体になっていることを特徴とする。
【００２４】
また、本発明は、前記携帯端末は、携帯電話機であることを特徴とする。
【発明の効果】
【００２５】
本発明によれば、前面外装カバーの落ち込み部分にＬＣＤガスケットとフレームガスケットを貼り付ける構成にしたので、表示部とスピーカとを一体化する際にＬＣＤパネルの固定強度と表示部の気密性とを確保することができるようになった。
【００２６】
本発明によれば、前面外装カバーの落ち込み部分にＬＣＤガスケットとフレームガスケットを貼り付ける構成にしたので、ＬＣＤユニットの周辺の機密性がより確保できるようになった。
【００２７】
そのため、表示部と一体スピーカを一体に搭載する場合においても、一体に搭載されていない携帯端末と同等の防塵構造にすることが可能となる。
【発明を実施するための最良の形態】
【００２８】
以下、添付図面を参照して本発明を実施するための最良の実施の形態を説明する。
【００２９】
図１は、本発明の一実施の形態としての携帯電話機の概観を示す斜視図である。図１に示すように、携帯電話機１００は、折りたたみ式の携帯端末で、折りたたむ側の一方にモニタ部１０１を備えている。
【００３０】
図２は、本実施の形態の携帯電話機１００のモニタ部１０１の構成を示す図である。図２（ａ）は、モニタ部１０１の分解斜視図を示し、図２（ｂ）は、図１の切断線で切断した際の断面図を示す。
【００３１】
図２に示すように、モニタ部１０１は、背面外装カバー１０９と、制御基板１０８と、防塵ネット１１２と、開口１０５ａが設けられる内部フレーム１０５と、ＬＣＤパネル１０２と、フレームガスケット１０７と、ＬＣＤガスケット１０６と、アクチュエータ１１１と、内部フレーム１０４と、防塵ネット１１２と、透明パネル板１０３とが、固定ネジ１１０によって固定される構成となっている。
【００３２】
図２に示すように、前面外装カバー１０４の外側には、固定クッション１１２を用いて透明パネル板１０３が取り付けられ、前面外装カバー１０４の内側には、ＬＣＤガスケット１０６とフレームガスケット１０７が貼り付けられる。
【００３３】
また、内部フレーム１０５には透明パネル板１０３の振動を妨げないようエア抜きのための開口１０５ａが設けらており、透明パネル板１０３の携帯電話機１００の内部側には防塵ネット１１１が貼り付けられる。
【００３４】
図３は、本実施の形態の前面外装カバー１０４の周辺の部位を示す斜視図である。
【００３５】
図３に示すように、本実施の形態の前面外装カバー１０４は、梁形状の部材１０４ｄで、ＬＣＤユニット用開口１０４ａとアクチュエータ用開口１０４ｂとに区切られている。
【００３６】
前面外装カバー１０４の各開口の端には、落ち込み部分１０４ｃが設けられ、携帯電話機１０１内部側の落ち込み部分１０４ｃにＬＣＤガスケット１０６とフレームガスケット１０７を付ける。
【００３７】
前面外装カバー１０４のＬＣＤユニット用開口１０４ａとアクチュエータ用開口１０４ｂの周囲はＬＣＤガスケット１０６とフレームガスケット１０７とで囲まれた状態となる。
【００３８】
携帯電話機１００となったときの状態では、ＬＣＤユニット１０２の外周はＬＣＤガスケット１０６に押し当てられ、内部フレーム１０４の外周は、フレームガスケット１０７に押し当てられる。
【００３９】
これにより、ＬＣＤユニット１０２はＬＣＤガスケット１０６を介し、前後で挟み込み固定された状態となる。
【００４０】
ＬＣＤユニット１０２はＬＣＤガスケット１０６とフレームガスケット１０７とで二重にシールドされた状態となる。
【００４１】
なお、本実施の形態では、携帯端末として、携帯電話機に適用しているが、ＰＤＡ及び携帯型のパーソナルコンピュータにも適用可能である。
【図面の簡単な説明】
【００４２】
【図１】携帯電話機の概観を示す斜視図である。
【図２】本発明の一実施の形態の携帯電話機１００のモニタ部１０１の構成を示す図である。
【図３】本発明の一実施の形態の前面外装カバー１０４の周辺の部位を示す斜視図である。
【図４】従来の携帯電話機のモニタ部１０１を示す図である。
【図５】従来の携帯電話機の一般的な構造において、表示部とスピーカとを一体化した携帯電話機のモニタ部１０１を示す図である。
【符号の説明】
【００４３】
１００  携帯端末
１０１  モニタ部
１０２  ＬＣＤユニット
１０３  透明パネル板
１０４  前面外装カバー
１０４ａ  ＬＣＤユニット用開口
１０４ｂ  アクチュエータ用開口
１０４ｃ  落ち込み部分
１０４ｄ  梁形状の部材
１０５  内部フレーム
１０６  ＬＣＤガスケット
１０７  フレームガスケット
１０８  制御基板
１０９  背面外装カバー
１１０  固定ネジ
１１１  アクチュエータ
【図１】
2005354377.tif 000003
【図２】
2005354377.tif 000004
【図３】
2005354377.tif 000005
【図４】
2005354377.tif 000006
【図５】
2005354377.tif 000007